【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
撮像ゾーン内の対象者からの磁気共鳴データを取得する磁気共鳴撮像システムであって、前記磁気共鳴撮像システムは、
機械実行可能命令とパルスシーケンスコマンドとを格納するメモリであって、前記パルスシーケンスコマンドは、前記磁気共鳴撮像システムに、磁気共鳴フィンガープリンティング技術又はＭＲパラメータマッピングシーケンスに従って前記磁気共鳴データを取得させ、前記パルスシーケンスコマンドは、さらに、ゼロエコー時間磁気共鳴撮像プロトコルを用いて空間符号化を実行するように前記磁気共鳴撮像システムを制御する、メモリと、
前記磁気共鳴撮像システムを制御するプロセッサと、
を含み、
前記機械実行可能命令の実行は、前記プロセッサに、
前記パルスシーケンスコマンドを用いて前記磁気共鳴撮像システムを制御することによって、前記磁気共鳴データを取得させ、
前記磁気共鳴データを磁気共鳴フィンガープリンティングディクショナリと比較することによって、所定物質のセットの各々の空間分布を計算させ、前記磁気共鳴フィンガープリンティングディクショナリは、前記所定物質のセットの前記パルスシーケンスコマンドの実行に応答して計算された磁気共鳴信号のリストを含み、前記パルスシーケンスコマンドは、異なる長手方向磁化準備の複数の群を含み、磁気共鳴フィンガープリンティングは、異なる長手方向磁化準備の異なる群又は異形を形成することによって符号化され、前記長手方向磁化準備の複数の群の各々に続いて、ゼロエコー時間読出しブロックがあり、各ゼロエコー時間読出しブロックは、前記磁気共鳴データの一部分を取得する、
磁気共鳴撮像システム。
【請求項２】
前記長手方向磁化準備の複数の群の各々は、反転回復準備、駆動平衡準備に基づくＴ２準備、不平衡Ｔ２準備、拡散増感及び重み付けを用いたＴ２準備、ＭＳＤＥ、フロー増感及び重み付けを用いたＴ２準備、スピン反転準備、部分的飽和回復、磁化移動コントラスト準備、ケミカルシフト選択的前飽和、励起エコー準備、ＮＯ準備及びその組み合わせ、のうちの１つ又は複数を含む、請求項１に記載の磁気共鳴撮像システム。
【請求項３】
磁気共鳴フィンガープリンティング符号化が、前記長手方向磁化準備の複数の群内の個々の長手方向磁化準備を変えることによって実行される、請求項１又は２に記載の磁気共鳴撮像システム。
【請求項４】
前記磁気共鳴データの一部分は、完全なｋ空間サンプルのサブサンプルである、請求項１、２又は３に記載の磁気共鳴撮像システム。
【請求項５】
各ゼロエコー時間読出しブロックは、隣接するゼロエコー時間読出しブロックとは異なるサブサンプルパターンを有する、請求項４に記載の磁気共鳴撮像システム。
【請求項６】
前記長手方向磁化準備の複数の群は、１つ又は複数のサブセットに分割され、前記１つ又は複数のサブセットの各々は、唯一無二のフリップ角を有する、請求項１から５のいずれか一項に記載の磁気共鳴撮像システム。
【請求項７】
前記機械実行可能命令の実行は、前記プロセッサに、前記１つ又は複数のサブセットの各々についての所定物質のセットの各々の前記空間分布を計算させる、請求項６に記載の磁気共鳴撮像システム。
【請求項８】
前記１つ又は複数のサブセットは、サブサンプリングパターンを経時的に変えてインターリーブされる、請求項６又は７に記載の磁気共鳴撮像システム。
【請求項９】
前記長手方向磁化準備のうちの少なくとも１つは、サイレント磁気傾斜遷移を含む、請求項１から８のいずれか一項に記載の磁気共鳴撮像システム。
【請求項１０】
前記所定物質のセットは、骨組織、結合組織、軟骨、海綿状骨、皮質骨、及び腱のうちのいずれかを含む、請求項１から９のいずれか一項に記載の磁気共鳴撮像システム。
【請求項１１】
前記機械実行可能命令の実行は、前記プロセッサに、少なくとも前記骨組織の前記空間分布を用いてコンピュータ断層合成画像を計算させる、及び／又は、前記所定物質のセットの各々の前記空間分布を用いて三次元磁気共鳴合成画像を計算させる、請求項１０に記載の磁気共鳴撮像システム。
【請求項１２】
前記機械実行可能命令の実行は、さらに、前記プロセッサに、前記パルスシーケンスコマンドに対する前記所定物質の各物質の応答をモデル化することによって、前記磁気共鳴フィンガープリンティングディクショナリを計算させる、請求項１から１１のいずれか一項に記載の磁気共鳴撮像システム。
【請求項１３】
撮像ゾーン内の対象者からの磁気共鳴データを取得する磁気共鳴撮像システムを制御するプロセッサによる実行のための機械実行可能命令を含むコンピュータプログラムであって、
前記機械実行可能命令の実行は、前記プロセッサに、
パルスシーケンスコマンドを用いて前記磁気共鳴撮像システムを制御することによって、前記磁気共鳴データを取得させ、前記パルスシーケンスコマンドは、前記磁気共鳴撮像システムに、磁気共鳴フィンガープリンティング技術又はＭＲパラメータマッピングシーケンスに従って前記磁気共鳴データを取得させ、前記パルスシーケンスコマンドは、さらに、ゼロエコー時間磁気共鳴撮像プロトコルを用いて空間符号化を実行するように前記磁気共鳴撮像システムを制御し、
前記機械実行可能命令の実行は、前記プロセッサに、
前記磁気共鳴データを磁気共鳴フィンガープリンティングディクショナリと比較することによって、所定物質のセットの各々の空間分布を計算させ、前記磁気共鳴フィンガープリンティングディクショナリは、前記所定物質のセットの前記パルスシーケンスコマンドの実行に応答して計算された磁気共鳴信号のリストを含み、前記パルスシーケンスコマンドは、異なる長手方向磁化準備の複数の群を含み、磁気共鳴フィンガープリンティングは、異なる長手方向磁化準備の異なる群又は異形を形成することによって符号化され、前記長手方向磁化準備の複数の群の各々に続いて、ゼロエコー時間読出しブロックがあり、各ゼロエコー時間読出しブロックは、前記磁気共鳴データの一部分を取得する、
コンピュータプログラム。
【請求項１４】
撮像ゾーン内の対象者からの磁気共鳴データを取得する磁気共鳴撮像システムを作動させる方法であって、
前記方法は、
パルスシーケンスコマンドを用いて前記磁気共鳴撮像システムを制御することによって、前記磁気共鳴データを取得するステップであって、前記パルスシーケンスコマンドは、前記磁気共鳴撮像システムに、磁気共鳴フィンガープリンティング技術又はＭＲパラメータマッピングシーケンスに従って前記磁気共鳴データを取得させ、前記パルスシーケンスコマンドは、さらに、ゼロエコー時間磁気共鳴撮像プロトコルを用いて空間符号化を実行するように前記磁気共鳴撮像システムを制御する、前記磁気共鳴データを取得するステップと、
前記磁気共鳴データを磁気共鳴フィンガープリンティングディクショナリと比較することによって、所定物質のセットの各々の空間分布を計算するステップであって、前記磁気共鳴フィンガープリンティングディクショナリは、前記所定物質のセットの前記パルスシーケンスコマンドの実行に応答して計算された磁気共鳴信号のリストを含み、前記パルスシーケンスコマンドは、異なる長手方向磁化準備の複数の群を含み、磁気共鳴フィンガープリンティングは、異なる長手方向磁化準備の異なる群又は異形を形成することによって符号化され、前記長手方向磁化準備の複数の群の各々に続いて、ゼロエコー時間読出しブロックがあり、各ゼロエコー時間読出しブロックは、前記磁気共鳴データの一部分を取得する、所定物質のセットの各々の空間分布を計算するステップと
を有する、方法。
【手続補正２】
【補正対象書類名】明細書
【補正対象項目名】００４１
【補正方法】変更
【補正の内容】
【００４１】
コンピュータ実行可能コードは、プロセッサに、本発明の一態様を行わせる機械実行可能命令又はプログラムを含んでよい。本発明の態様の動作を実行するためのコンピュータ実行可能コードは、Ｊａｖａ（登録商標）、Ｓｍａｌｌｔａｌｋ（登録商標）、Ｃ＋＋等といったオブジェクト指向プログラミング言語や、「Ｃ」プログラミング言語又は同様のプログラミング言語といった従来の手続き型プログラミング言語を含む１つ又は複数のプログラミング言語の任意の組み合わせで書かれ、機械実行可能命令にコンパイルされる。場合によっては、コンピュータ実行可能コードは、高水準言語の形でも、予めコンパイルされた形でもよく、また、機械実行可能命令をオンザフライで生成するインタプリタとあわせて使用されてよい。